(57)【要約】【課題】  簡単な構造により、写真プリントの縁を揃えて集積し仕分けすることができる写真プリントの仕分け装置を得る。【解決手段】  写真処理装置から排出された写真プリントを、仕分け装置１０に設けられたプリント受け部１４の載置面２０で受け、プリント押し爪２４により下流側へ押し出してシューター１８の上面３０に移送する。写真プリントの移送後に、シューター１８を傾倒させて、傾斜姿勢で待機するトレー１６に収容し、この写真プリントの収容後に、トレー１６を起立姿勢に変位させて一側方へ傾かせる。トレー１６に収容された写真プリントは、裏面がトレー本体３４に支えられるとともに、下縁がトレー１６の底壁部３６に当接して揃えられ、さらに、底壁部３６の傾斜に倣って後側へ寄せられ側縁がトレー１６の後側壁部３８に当接して揃えられる。【選択図】    図１
2006133264.tif 000002
【特許請求の範囲】
【請求項１】
写真処理装置から排出された写真プリントをオーダー単位に集積して仕分けする写真プリントの仕分け装置であって、
前記写真処理装置から排出された写真プリントが載置面に載置されるプリント受け部と、
前記プリント受け部の前記載置面に移動可能に設けられ、載置面に載置された写真プリントを移動により下流側へ押し出す押出し部材と、
前記押出し部材を前記下流側へ移動させる押出し部材移動手段と、
前記プリント受け部の下流側に隣接して傾倒可能に設けられ、プリント受け部から上面に移送された写真プリントを傾倒により上面から滑落させる傾倒部材と、
前記傾倒部材を前記上面で写真プリントを受け取るプリント受け取り位置から傾倒位置に傾倒させる傾倒手段と、
前記傾倒部材の傾倒側に配置されて移動可能に設けられ、傾倒部材から滑落される写真プリントを傾斜姿勢で収容するプリント収容位置に順次配置されるとともに、写真プリントを収容した後にそのプリント収容位置から離脱して起立姿勢に変位し、且つ、その起立姿勢で一側方へ傾く複数のプリント収容部材と、
前記プリント収容部材の本体部分を構成し、収容された写真プリントの裏面を支えるプリント収容部材本体と、
前記プリント収容部材本体の下部に設けられ、収容された写真プリントの下縁が当接する底壁部と、
前記プリント収容部材本体の前記一側方の側部に設けられ、収容された写真プリントの側縁が当接する側壁部と、
前記プリント収容部材を前記プリント収容位置に移動させて前記傾斜姿勢とし、且つ、プリント収容位置から離脱させて前記起立姿勢に変位させるプリント収容部材移動手段と、
を有することを特徴とする写真プリントの仕分け装置。
【請求項２】
前記プリント受け部の前記載置面が前記下流側へ向けて上り傾斜されていることを特徴とする請求項１記載の写真プリントの仕分け装置。
【請求項３】
前記載置面の水平面に対する傾斜角度が５〜２０度にされていることを特徴とする請求項２記載の写真プリントの仕分け装置。
【請求項４】
前記傾倒部材が傾倒したときの前記上面の水平面に対する傾斜角度と、前記プリント収容部材が前記傾斜姿勢とされたときの前記プリント収容部材本体の水平面に対する傾斜角度とが同一角度にされていることを特徴とする請求項１〜請求項３の何れか１項記載の写真プリントの仕分け装置。
【請求項５】
前記同一角度にされた前記上面と前記プリント収容部材本体との水平面に対する傾斜角度が３０〜４５度にされていることを特徴とする請求項４記載の写真プリントの仕分け装置。
【請求項６】
前記押出し部材移動手段は、前記押し出し部材の前記下流側への移動時に押し出し部材が前記傾倒部材に近づくにつれて移動速度を徐々に減速させる速度制御手段を有することを特徴とする請求項１〜請求項５の何れか１項記載の写真プリントの仕分け装置。
【請求項７】
前記速度制御手段がリンク機構とされていることを特徴とする請求項６記載の写真プリントの仕分け装置。
【請求項８】
前記押出し部材移動手段及び前記プリント収容部材移動手段が同一駆動源により駆動されることを特徴とする請求項１〜請求項７の何れか１項記載の写真プリントの仕分け装置。
【請求項９】
前記プリント収容部材本体の上縁が前記底壁部に対して傾斜されていることを特徴とする請求項１〜請求項８の何れか１項記載の写真プリントの仕分け装置。
【発明の詳細な説明】
【技術分野】
【０００１】
本発明は、写真処理装置から排出された写真プリントをオーダー単位に集積して仕分けする写真プリントの仕分け装置に関する。
【背景技術】
【０００２】
一般に、現像所では、写真フィルムに記録された画像や情報記録媒体に記録された画像情報を写真処理装置でロール状の印画紙に連続して焼き付け現像処理した後、１コマ毎写真プリントをカットして、その写真プリントを仕分け装置で１オーダー（例えば、フィルム１本単位や情報記録媒体１個単位）毎に分けて集積している。
【０００３】
このような写真プリントの仕分け装置には、写真処理装置から排出された写真プリントが束状に載置される可動台を、可動台の上面に移動可能に設けられたストッパー部材に対して相対移動させることにより、可動台上に載置された束状の写真プリントをストッパー部材に当接させて可動台上から下方のベルト式コンベア上に落下させ仕分けするものがある（例えば、特許文献１参照）。
【特許文献１】特開平９−１８８４５２号公報
【発明の開示】
【発明が解決しようとする課題】
【０００４】
しかしながら、上記の仕分け装置では、可動台上からベルト式コンベア上に落下させた写真プリントに対する規制がないため、落下衝撃で写真プリントの束が崩れ易くなり、コンベア上から写真プリントの束を取り出した後に縁を揃え直す手間が生じる。さらに、可動台にストッパー部をユニット化して個別に移動させる構成であるため、可動台の構造や駆動系が複雑になる問題もある。
【０００５】
本発明は上記事実を考慮して、簡単な構造により、写真プリントの縁を揃えて集積し仕分けすることができる写真プリントの仕分け装置を提供することを課題とする。
【課題を解決するための手段】
【０００６】
上記目的を達成するために請求項１に記載の発明は、写真処理装置から排出された写真プリントをオーダー単位に集積して仕分けする写真プリントの仕分け装置であって、前記写真処理装置から排出された写真プリントが載置面に載置されるプリント受け部と、前記プリント受け部の前記載置面に移動可能に設けられ、載置面に載置された写真プリントを移動により下流側へ押し出す押出し部材と、前記押出し部材を前記下流側へ移動させる押出し部材移動手段と、前記プリント受け部の下流側に隣接して傾倒可能に設けられ、プリント受け部から上面に移送された写真プリントを傾倒により上面から滑落させる傾倒部材と、前記傾倒部材を前記上面で写真プリントを受け取るプリント受け取り位置から傾倒位置に傾倒させる傾倒手段と、前記傾倒部材の傾倒側に配置されて移動可能に設けられ、傾倒部材から滑落される写真プリントを傾斜姿勢で収容するプリント収容位置に順次配置されるとともに、写真プリントを収容した後にそのプリント収容位置から離脱して起立姿勢に変位し、且つ、その起立姿勢で一側方へ傾く複数のプリント収容部材と、前記プリント収容部材の本体部分を構成し、収容された写真プリントの裏面を支えるプリント収容部材本体と、前記プリント収容部材本体の下部に設けられ、収容された写真プリントの下縁が当接する底壁部と、前記プリント収容部材本体の前記一側方の側部に設けられ、収容された写真プリントの側縁が当接する側壁部と、前記プリント収容部材を前記プリント収容位置に移動させて前記傾斜姿勢とし、且つ、プリント収容位置から離脱させて前記起立姿勢に変位させるプリント収容部材移動手段と、を有することを特徴としている。
【０００７】
請求項１に記載の発明では、写真処理装置から排出された写真プリントは、仕分け装置に設けられたプリント受け部の載置面に載置される。そして、例えば１オーダー分の写真プリントが集積されると、押出し部材が押出し部材移動手段により駆動されて載置面上を下流側へ移動し、載置面に集積された写真プリントは押出し部材により下流側へ押し出されて、プリント受け取り位置に配置されて待機する傾倒部材の上面に移送される。
【０００８】
写真プリントの移送後に、傾倒部材が傾倒手段によってプリント受け取り位置から傾倒位置に傾倒されると、写真プリントは傾倒部材の上面に沿って傾倒方向へ滑り落ち、プリント収容位置に配置されて傾斜姿勢で待機する１つのプリント収容部材に収容される。
【０００９】
このプリント収容部材は、写真プリントの収容後に、プリント収容部材移動手段により駆動されてプリント収容位置から離脱し、起立姿勢に変位する。また、この起立姿勢でプリント収容部材は一側方へ傾く。
【００１０】
ここで、プリント収容部材に収容された写真プリントは、裏面がプリント収容部材本体に支えられるとともに、プリント収容部材本体の下部に設けられた底壁部に下縁が当接して揃えられ、さらに、起立姿勢のプリント収容部材が一側方へ傾いていることにより一側方へ寄せられ、プリント収容部材本体の一側方の側部に設けられた側壁部に側縁が当接して揃えられる。
【００１１】
このように、例えば１オーダー分の写真プリントは、１つのプリント収容部材に仕分けられて収容されるとともに各縁が揃えられて集積されるため、オペレータは、この仕分けられた写真プリントをプリント収容部材から取り出した後に、縁を揃え直すことなくそのまま袋詰めできるようになる。これにより、写真プリント仕分け後の袋詰め作業等が迅速に行えるようになる。
【００１２】
また、写真プリントを複数のプリント収容部材に仕分けるために設ける押出し部材と傾倒部材とは独立しており、従来のように、複数の移動部材をユニット化して個別に移動させる構成に比べ、各部材や駆動系の構造を簡素化することができる。
【００１３】
請求項２に記載の発明は、請求項１記載の写真プリントの仕分け装置において、前記プリント受け部の前記載置面が前記下流側へ向けて上り傾斜されていることを特徴としている。
【００１４】
請求項２に記載の発明では、写真プリントが写真処理装置から１枚ずつ排出される場合、プリント受け部の載置面に集積された写真プリントの束は縁が揃わずに乱れ易くなり、その乱れて集積された写真プリントを下流側へ移送すると、移送時に写真プリントが崩れたり蛇行しやすくなって移送の安定性が低下する問題がある。これに対し、プリント受け部の載置面が下流側へ向けて上り傾斜されていると、写真処理装置から１枚ずつ排出された写真プリントは、載置面の傾斜に倣って上流側へ寄せられ、側縁が押出し部材に当接して揃えられるようになり、このように、集積された写真プリントの側縁が下流側への移送前に予め揃えられることで、移送時に写真プリントが崩れたり蛇行することなく良好に移送できるようになる。
【００１５】
また、請求項２記載の写真プリントの仕分け装置においては、請求項３に記載の発明のように、前記載置面の水平面に対する傾斜角度を５〜２０度にしてもよい。
【００１６】
請求項４に記載の発明は、請求項１〜請求項３の何れか１項記載の写真プリントの仕分け装置において、前記傾倒部材が傾倒したときの前記上面の水平面に対する傾斜角度と、前記プリント収容部材が前記傾斜姿勢とされたときの前記プリント収容部材本体の水平面に対する傾斜角度とが同一角度にされていることを特徴としている。
【００１７】
請求項４に記載の発明では、傾倒部材とプリント収容部材の傾斜角度が同一であることにより、傾倒部材から滑落された写真プリントがプリント収容部材にスムーズに収容され、滑落時の衝撃による束の崩れが起こり難くされる。
【００１８】
また、請求項４記載の写真プリントの仕分け装置においては、請求項５に記載の発明のように、前記同一角度にされた前記上面と前記プリント収容部材本体との水平面に対する傾斜角度を３０〜４５度にしてもよい。
【００１９】
請求項６に記載の発明は、請求項１〜請求項５の何れか１項記載の写真プリントの仕分け装置において、前記押出し部材移動手段は、前記押し出し部材の前記下流側への移動時に押し出し部材が前記傾倒部材に近づくにつれて移動速度を徐々に減速させる速度制御手段を有することを特徴としている。
【００２０】
請求項６に記載の発明では、押し出し部材は、写真プリントの押し出しに伴う下流側への移動時に、押出し部材移動手段の速度制御手段によって傾倒部材に近づくにつれて移動速度が徐々に減速される。これにより、押し出し部材の停止に伴い写真プリントに作用する慣性力が小さくされ、写真プリントの束を崩れ難くするとともに写真プリントの束が押し出し部材の停止位置から遠く離れてしまうことを防止できる。
【００２１】
請求項７に記載の発明は、請求項６記載の写真プリントの仕分け装置において、前記速度制御手段がリンク機構とされていることを特徴としている。
【００２２】
請求項７に記載の発明では、速度制御手段を機械的なリンク機構とすることにより、例えば電気的な制御を行うために高価なステッピングモータ等を用いる場合に比べ、速度制御手段及び装置を安価に構成することができる。
【００２３】
請求項８に記載の発明は、請求項１〜請求項７の何れか１項記載の写真プリントの仕分け装置において、前記押出し部材移動手段及び前記プリント収容部材移動手段が同一駆動源により駆動されることを特徴としている。
【００２４】
請求項８に記載の発明では、押出し部材移動手段及びプリント収容部材移動手段を単一のモータ等の同一駆動源により駆動することにより、例えば駆動源を個別に設ける場合に比べ、駆動源及び装置を安価に構成することができる。
【００２５】
請求項９に記載の発明は、請求項１〜請求項８の何れか１項記載の写真プリントの仕分け装置において、前記プリント収容部材本体の上縁が前記底壁部に対して傾斜されていることを特徴としている。
【００２６】
請求項９に記載の発明では、底壁部に対してプリント収容部材本体の上縁が傾斜されたプリント収容部材に収容された写真プリントは、一方の上角部がプリント収容部材本体から飛び出るようになるため、プリント収容部材から写真プリントを取り出すときは、その角部付近を摘んで容易に取り出すことができる。
【発明の効果】
【００２７】
本発明の写真プリントの仕分け装置は上記構成としたので、簡単な構造により、写真プリントの縁を揃えて集積し仕分けすることができる。
【発明を実施するための最良の形態】
【００２８】
以下、図面を参照して本発明の実施形態に係る仕分け装置（ソーター）について説明する。
【００２９】
図１及び図２には、本実施形態の仕分け装置が示されており、図３〜図５には、仕分け装置を写真処理装置にセットした状態が示されている。また、図６〜図８には、仕分け装置内に設けられた駆動系の概略構成が示されている。
【００３０】
図１及び図２に示されるように、仕分け装置１０は、全体が側面視にて上部が後側から前側へ向けて上り傾斜された略台形状の箱型とされており、図３〜図５に示されるように、装置後部が写真処理装置２００の写真プリント排出部２０２に装着されてセットされる。
【００３１】
仕分け装置１０は、装置の本体部分を構成する装置本体１２を備えており、装置本体１２には、写真処理装置２００の写真プリント排出部２０２に装着されるとともに写真処理装置２００から排出された写真プリントを受けるプリント受け部１４、写真プリントが１オーダー（例えば、フィルム１本単位）毎に分けて集積される複数のトレー１６、プリント受け部１４から移送された写真プリントを各トレー１６に受け渡すシューター１８が設けられている。
【００３２】
プリント受け部１４は、装置本体１２の後部右側に位置して後方へ突出されている。このプリント受け部１４の上面が、写真処理装置２００から排出された写真プリントが載置される載置面２０とされ、載置面２０は後側（上流側）から前側（下流側）へ向けて上り傾斜されている。なお、本実施形態では、図９に示されるように、載置面２０の水平面Ｈ１に対する傾斜角度θ１が１１度に設定されている。
【００３３】
載置面２０の左右側端部を除く中央領域には、傾斜方向に沿って直線状に延出されるとともに装置幅方向（左右方向）に所定の間隔で配置された複数の長溝２２が形成されている。載置面２０上に載置された写真プリントは、この複数の長溝２２によって、載置面２０上を摺動するときの摩擦抵抗が低減される。
【００３４】
また、載置面２０上における上記複数の長溝２２との対応位置には、装置幅方向に沿って延出されたプリント押し爪２４が配置されている。このプリント押し爪２４は、載置面２０の傾斜方向に沿って、載置面２０の後端部付近から、爪前面部が後述するシューター１８の後部領域に進入する位置までスライド可能とされており（図１及び図２の矢印Ａ方向）、図１及び図２に示される、載置面２０の後端部付近に配置された待機位置から前方へスライドすることにより、載置面２０上に載置された写真プリントを前方へ押し出す。
【００３５】
図１に示されるように、シューター１８は、プリント受け部１４の前側に位置して載置面２０に隣接配置されている。このシューター１８は、矩形平板状で幅方向の長さが複数の長溝２２の幅方向寸法と略同じにされており、図８に示されるように、右縁部が装置本体１２の上面右側端部１２Ａにヒンジ１９を介して取り付けられ、図１に示されるプリント受け取り位置からヒンジを中心に自重で図１及び図８の矢印Ｂ方向へ回動し左側へ下り傾斜するよう傾倒可能とされている。
【００３６】
シューター１８の前縁部には、上方へ延出されたプリントガイド２６が設けられており、下面のプリント受け部１４寄りには、後述するシューター支持機構１２０の支持部材に乗り上げてシューター１８を上記のプリント受け取り位置に保持し位置決めする位置決め部材２８が取り付けられている。また、シューター１８の下方には、回転軸１１４に固着されて回転可能とされたシューター起こしカム１１６が配置されている。
【００３７】
シューター１８は、図２に示されるように、プリント受け取り位置では上面３０がプリント受け部１４の載置面２０よりも少し低くされて略平行にされており、載置面２０の傾斜角度θ１（１１度）と略同じ角度で後側から前側へ向けて上り傾斜されている。このように、シューター１８の上面３０が載置面２０よりも一段低くされていることにより、写真プリントは載置面２０からシューター１８の上面３０へ移送されるときに引っ掛かりなくスムーズに移送される。
【００３８】
装置本体１２の上面右前端部１２Ｂは左側へ下り傾斜した傾斜面とされ、その上面右前端部１２Ｂにはシューター支持部３２が凸設されている。シューター１８が傾倒したときには（プリント受け渡し位置）、シューター１８下面の左前角部付近がシューター支持部３２に当接することで、シューター１８の傾斜角度が所定の角度に保たれる。なお、本実施形態では、図８に示されるように、シューター１８の上面３０の左右方向における水平面Ｈ２に対する傾斜角度θ２が３５度に設定されている。
【００３９】
シューター１８の左側には、上述した複数のトレー１６が配置されている。この複数のトレー１６は、装置幅方向を長手とし正面視が略楕円形状となるように設けられた無端状のチェーン１００に取り付けられて互いに連結されるとともに（図６及び図８参照）、チェーン１００の周方向に沿って等間隔に配列されており、チェーン１００が後述する駆動系によって左回りに回転されることで、図１の矢印Ｃで示される左回りに周回移動する循環式に構成されている。
【００４０】
各トレー１６は、図１及び図２に示されるように、前側よりも後側の方が高さの低い略台形状とされており、仕分け装置１０の上部側に配置されたときに、略垂直な向きとなる板状のトレー本体３４、トレー本体３４の下縁部から左側へ略直角に延出された底壁部３６、トレー本体３４の後縁部から左側へ略直角に延出された後側壁部３８を備え、底壁部３６の底面（上面）と後側壁部３８の内側面（前面）とは略直角にされている。
【００４１】
このトレー１６は、図２に示されるように、仕分け装置１０の上部側に配置されたときには、底壁部３６の底面がシューター１８の上面３０と略平行な向きにされ、すなわち、シューター１８の上面３０の傾斜角度と略同じ角度で後側から前側へ向けて上り傾斜され、また、後側壁部３８の内側面がシューター１８の上面３０に対し略垂直な向きにされる。一方、トレー１６が仕分け装置１０の下部側に配置されたときには、トレー本体３４の上縁部４０が仕分け装置１０の下面（設置面Ｓ）と略平行にされるとともに下面に近接配置される。
【００４２】
また、図８に示されるように、トレー１６がシューター１８の左斜め下方で待機位置に配置されときには傾斜姿勢とされ、傾倒したシューター１８の下面にトレー本体３４の上部が略面接する。なお、本実施形態では、図８に示されるように、待機位置に配置されたトレー１６は、トレー本体３４の左右方向における水平面Ｈ２に対する傾斜角度θ３がシューター１８の上面３０の傾斜角度θ２（３５度）と同一角度にされている。
【００４３】
図１に示されるように、装置本体１２の後部内側面１２Ｃにおける上部中央付近には、プリント検出機構４２が設けられている。プリント検出機構４２は、後部内側面１２Ｃに形成された矩形開口部４４を通して前方へ突出されるとともに左側へ回動可能とされた検出レバー４６を備えており、検出レバー４６は、図示のように、起立姿勢とされた７個のトレー１６のうち、左側から３番目に配置されたトレー１６よりも少し左寄りに配置されている。
【００４４】
このプリント検出機構４２は、検出レバー４６が左側へ押圧されて図１の矢印Ｄ方向へ回動しプリント検出状態になると、レバー基端部に設けられた図示しないセンサが検出信号を出力し、又、検出レバー４６が押圧解除されると、レバー基端部に設けられた図示しないばね部材の弾性力によって元のプリント非検出状態に戻り、上記センサが検出信号の出力を停止するよう構成されている。
【００４５】
また、後部内側面１２Ｃにおける左上角部付近には、前方へ突出されたプリント押さえ軸４８が設けられている。
【００４６】
次に、仕分け装置１０の装置本体１２内に設けられた駆動系について説明する。
【００４７】
図６に示されるように、装置本体１２内には、プリント押し爪２４及びトレー１６を駆動するための駆動源となる単一のＤＣモータ５０が設けられている。このＤＣモータ５０は、シューター１８の支持端側の下方に設けられた取付板５２に取り付けられてプリント受け部１４とシューター１８との境界付近の下方に配置されており、仕分け装置１０が写真処理装置２００にセットされると、写真処理装置２００の制御部に電気的に接続されて制御部によって駆動制御される。
【００４８】
ＤＣモータ５０の駆動ギア５４には２枚の伝達ギア５６、５８が噛み合っており、これらの伝達ギア５６、５８は、ワンウェイクラッチが組み込まれて一方向のみに回転する。駆動ギア５４の前側に配置された一方の伝達ギア５６は、取付板５２に取り付けられて図７に示される右側面視にて左回り（矢印Ｌ２方向）のみに回転し、ＤＣモータ５０が正転して駆動ギア５４を右回り（矢印Ｒ１方向）に回転させたときの回転力をプリント押し爪２４の移動機構側へ伝達する。また、駆動ギア５４の後側に配置された他方の伝達ギア５８は、右フレーム６４及び中央フレーム９６に両端部が回転可能に取り付けられた回転軸９８に固着されて、右側面視にて右回り（矢印Ｒ２方向）のみに回転し、ＤＣモータ５０が逆転して駆動ギア５４を左回り（矢印Ｌ１方向）に回転させたときの回転力をトレー１６の移動機構側へ伝達する。
【００４９】
プリント押し爪２４の移動機構としては、プリント受け部１４内における載置面２０の下側に配置されてプリント押し爪２４が取り付けられるプリント押し爪取付板６０、プリント押し爪取付板６０をガイドする右フレーム６４、支持板７０、及びガイド軸７６、プリント押し爪取付板６０を移動させるリンク８０、及び、プリント押し爪取付板６０にリンク８０を介して連結された回転部材８２が設けられている。
【００５０】
プリント押し爪取付板６０は、右側端部に突設されたスライド軸６２が、装置本体１２の右フレーム６４に前後方向に沿って形成された長穴６６に挿通され、左側端部に設けられた回転ローラ６８が、プリント受け部１４内における左側に設けられた支持板７０上に載せられており、下面に取り付けられたガイド部材７２の貫通孔７４には、右フレーム６４の内側に前後方向に沿って取り付けられたガイド軸７６が挿通されている。
【００５１】
また、プリント押し爪取付板６０の上面には、２本の支柱７８が立設されている。この２本の支柱７８は、プリント受け部１４の載置面２０に前後方向に沿って形成された図示しない２つの長穴にそれぞれ挿通されており、これら支柱７８には、プリント押し爪２４が図示しない２本のネジで取り付けられている。
【００５２】
このプリント押し爪取付板６０は、ガイド部材７２がガイド軸７６にガイドされつつ、スライド軸６２が長穴６６内を摺動し、回転ローラ６８が支持板７０上を回転移動して前後方向へ往復移動可能とされ、これにより、プリント押し爪２４が前後方向へ往復移動可能とされている。
【００５３】
図６及び図７に示されるように、スライド軸６２の先端部にはリンク８０の一端部が連結されている。リンク８０の他端側は前方へ延出されており、その他端部には右フレーム６４に回転自在に取り付けられた回転部材８２の腕部８４が連結されている。
【００５４】
回転部材８２の取付面側における軸心部には、ギア部８６が形成されている。このギア部８６と上述した伝達ギア５６との間には、取付板５２及び右フレーム６４に回転自在に取り付けられた中間ギアユニット８８が配置されている。中間ギアユニット８８は、取付板５２側に配置されて伝達ギア５６に噛み合った大径ギア９０と、右フレーム６４の外側に配置されて回転部材８２のギア部８６に噛み合った小径ギア９２とを備え、それらの大径ギア９０及び小径ギア９２が回転軸９４を介して一体化されている。
【００５５】
これにより、ＤＣモータ５０が正転して駆動ギア５４を右回り（図７の矢印Ｒ１方向）に回転駆動させると、伝達ギア５６及び中間ギアユニット８８が回転して回転部材８２が左回り（矢印Ｌ３方向）に回転し、リンク８０を介して回転部材８２に連結されたプリント押し爪取付板６０及びプリント押し爪２４は、回転部材８２の回転に伴い前後方向へ往復移動する。
【００５６】
一方、トレー１６の移動機構としては、図６及び図８に示されるように、トレー１６が取り付けられる上述したチェーン１００、装置本体１２内の中央部付近及び左側部付近に配置されてチェーン１００が巻き掛けられる一対のスプロケット１０２、及び、一対のスプロケット１０２をそれぞれ回転可能に支持する２本のスプロケット軸１０４が設けられている。なお、図６及び図８では、装置本体１２内の中央部付近に配置されたスプロケット１０２及びスプロケット軸１０４のみを示し、装置本体１２内の左側部付近に配置されたスプロケット及びスプロケット軸は図示を省略している。
【００５７】
装置本体１２内の中央部付近に配置されたスプロケット１０２は、スプロケット軸１０４に固着されており、このスプロケット軸１０４は、装置本体１２内の前後に対向して設けられたスプロケット軸取付板１０８に両端部が回転可能に取り付けられている。なお、図６では、装置本体１２内の後側に配置されたスプロケット軸取付板１０８のみを示し、装置本体１２内の前側に配置されたスプロケット軸取付板は図示を省略している。また、装置本体１２内の左側部付近に配置されたスプロケットが固着されているスプロケット軸も、同様に、装置本体１２内の前後に対向して設けられたスプロケット軸取付板に両端部が回転可能に取り付けられている。
【００５８】
チェーン１００は、この回転可能とされた一対のスプロケット１０２に巻き掛けられて回転移動可能とされている。
【００５９】
図６では前後に向けられたチェーン１００の両側面には、一対のトレー取付片１０６が一定の間隔で複数個取り付けられている。各トレー１６は、底壁部３６の下面における略中央部がこの一対のトレー取付片１０６に図示しない２本のネジで取り付けられている。
【００６０】
上記のスプロケット軸１０４の後端部は、スプロケット軸取付板１０８から後方へ突出されてその後端部には中継ギア１１０が固着されており、この中継ギア１１０は、上述した回転軸９８の左端部に固着されたウォームギア１１２に噛み合っている。また、このスプロケット軸１０４の前端側には、スプロケット軸１０４の回転駆動力を回転軸１１４（図１参照）に伝達する図示しない駆動力伝達機構が配置されており、この駆動力伝達機構を介してスプロケット軸１０４の回転駆動力が回転軸１１４に伝達される。
【００６１】
これにより、ＤＣモータ５０が逆転して駆動ギア５４を左回り（図７の矢印Ｌ１方向）に回転駆動させると、伝達ギア５８、回転軸９８、及びウォームギア１１２が回転してその回転力がウォームギア１１２から中継ギア１１０へ伝達される。そして、スプロケット軸１０４及びスプロケット１０２の回転に伴いチェーン１００が回転移動し、各トレー１６は左回り（図１の矢印Ｃ方向）に周回移動する。また、スプロケット軸１０４の回転駆動力は回転軸１１４に伝達され、回転軸１１４の回転に伴ってシューター起こしカム１１６が各トレー１６の周回移動に同期して回転する。
【００６２】
図１０には、シューター１８を支持してプリント受け取り位置に保つとともに、その支持を解除してシューター１８を傾倒させるシューター支持機構１２０が分解状態で示されている。
【００６３】
シューター支持機構１２０は、図１に示されるように、シューター１８の下方におけるプリント受け部１４寄りに配置されており、図６に示されるように、取付板５２の上縁中央付近に位置して左側へ略水平に屈曲形成された支持基板部１２２を備えている。図１０に示されるように、支持基板部１２２の上面には支持軸１２４が立設されており、この支持軸１２４に、下から順にねじりコイルばね１２６、支持部材１２８、ねじりコイルばね１３０、及び支持解除部材１３２が組み付けられてシューター支持機構１２０は構成されている。
【００６４】
支持基板部１２２は、取付板５２との接続側となる右側端部に孔部１３４が形成されており、反対側の左側端部にストッパー部１３６が設けられている。
【００６５】
支持部材１２８は、支持軸１２４に回転自在に挿通される貫通孔１３８が形成された取付基部１４０を備え、取付基部１４０の下面には、ねじりコイルばね１２６が嵌め入れられるボス１４２が貫通孔１３８と同軸的に設けられている。
【００６６】
取付基部１４０の左側には、平面視がＬ字形とされた腕部１４４及び支持部１４６が設けられている。腕部１４４の後部には凹溝１４８が形成されている。また、支持部１４６の下面における左前角部には、支持基板部１２２のストッパー部１３６に対応する突起１５０が設けられ、支持部１４６の下面における後側には、前側から後側へ向けて上り傾斜された傾斜面１５２が形成されている。
【００６７】
この支持部材１２８には、ねじりコイルばね１２６を図１０に示される向きでボス１４２に嵌め入れられるとともに、ねじりコイルばね１２６の一端にコ字状に曲げ形成されたフック部１５４を支持部１４６の前面部１４６Ａに係合させることにより、ねじりコイルばね１２６が仮取付けされる。さらにその状態で、取付基部１４０の貫通孔１３８を支持軸１２４に挿通させてボス１４２の下面を支持基板部１２２の上面に当接させるとともに、ねじりコイルばね１２６の他端に下方へ曲げ形成された曲げ部１５６を孔部１３４に挿入させ、突起１５０をストッパー部１３６に嵌め合わせることにより、支持部材１２８が支持軸１２４に仮止めされる。ここで、支持部材１２８は、ねじりコイルばね１２６のばね力によって平面視右回り（図１０の矢印Ｅ方向）へ付勢され、突起１５０がストッパー部１３６に当接し回動位置が規制されて図６に示される位置に保持される。
【００６８】
支持解除部材１３２は、平面視にて一端部がテーパー状のクサビ形とされている。支持解除部材１３２の中央部付近には、支持軸１２４に回転自在に挿通される貫通孔１５８が形成されており、支持解除部材１３２の下面には、ねじりコイルばね１３０が嵌め入れられるボス１６０が貫通孔１５８と同軸的に設けられている。また、支持解除部材１３２の一端部に設けられたテーパー部１６２の先端部には長穴１６４が形成されており、他端部の下面には、支持部材１２８の凹溝１４８に対応する突起１６６が設けられている。
【００６９】
この支持解除部材１３２は、ねじりコイルばね１３０が図１０に示される向きでボス１６０に嵌め入れられるとともに、ねじりコイルばね１２６の一端に上方へ曲げ形成された曲げ部１６８が長穴１６４に挿入され、その状態で、貫通孔１５８を支持軸１２４に挿通させてボス１６０の下面を支持部材１２８の上面に当接させるとともに、ねじりコイルばね１３０の他端にコ字状に曲げ形成されたフック部１７０を支持部材１２８の支持部１４６における前面部１４６Ａに係合させ、突起１６６を支持部材１２８の凹溝１４８に嵌め合わせることにより、支持軸１２４に仮止めされる。ここで、支持解除部材１３２は、ねじりコイルばね１３０のばね力によって平面視左回り（図１０の矢印Ｆ方向）へ付勢され、突起１６６が凹溝１４８に当接し回動位置が規制されて図６に示される位置に保持される。
【００７０】
最後に、支持軸１２４の上端部に形成された円環溝１７２にＥリング１７４を嵌め込むことにより、上記の各部品が支持軸１２４に取り付けられる。
【００７１】
また、図６に示されるように、プリント押し爪取付板６０の下面には、支持解除部材１３２のテーパー部１６２と対応する位置にピン１７６が設けられている。
【００７２】
次に、上記の構成とされた本実施形態の仕分け装置１０による写真プリントの仕分け動作について説明する。
【００７３】
図３〜図５に示されるように、写真処理装置２００にセットされた仕分け装置１０は、写真プリントの仕分けを行う前に、プリント押し爪２４、シューター１８、及び複数のトレー１６がそれぞれ図示の位置に配置される。
【００７４】
オペレータの操作で写真プリントの処理動作が開始されると、写真処理装置２００は、写真フィルムや情報記録媒体等に記録された画像の焼き付け現像処理を行い、写真プリントを乾燥させて、写真プリント排出部２０２に設けられたプリント排出ローラ２０４（図３〜図５参照）を回転駆動させプリント面を上にして写真プリントを１枚ずつ排出する。
【００７５】
図１１（Ａ）に示されるように、写真処理装置２００から排出された写真プリントＰは、仕分け装置１０に設けられたプリント受け部１４の載置面２０に載置される。ここで、載置面２０に載置された写真プリントＰ、及び連続排出されることで前に排出された写真プリントＰに順次重ね合わせられた複数枚の写真プリントＰは、載置面２０の傾斜に倣って後側へ滑り、側縁がプリント押し爪２４に当接する。これにより、図示のように、載置面２０に集積された写真プリントＰの束の側縁が揃えられる。
【００７６】
１オーダー（例えば、フィルム１本）分の写真プリントＰの排出が終了すると、写真処理装置２００の制御部は、仕分け装置１０内のＤＣモータ５０を制御して正転駆動させ、プリント押し爪２４を前方へスライドさせる。
【００７７】
載置面２０に集積された写真プリントＰの束は、前方へスライドするプリント押し爪２４に押されて前方へ移動し、図１１（Ｂ）に示されるように、シューター１８に移送されて上面３０の後側に載置される。
【００７８】
また、このプリント押し爪２４の前方へのスライドでは、図１３及び図１４に示されるように、プリント押し爪２４及びプリント押し爪取付板６０が図１３（Ａ）の待機位置から前方へ移動する途中で、図１３（Ｂ）のように、プリント押し爪取付板６０のピン１７６が支持解除部材１３２のテーパー部１６２の後側面に接触して押圧する。これにより、支持解除部材１３２は図示のように平面視右回りに回動し、ピン１７６がテーパー部１６２を通過すると、ねじりコイルばね１３０にばね力によって逆方向へ回動し、図１４（Ａ）のように元の位置に戻される。
【００７９】
写真プリントＰの束がシューター１８に移送された後、写真処理装置２００の制御部は、ＤＣモータ５０を制御して正転駆動を継続させ、プリント押し爪２４を後方へスライドさせる。このプリント押し爪２４の後方へのスライドでは、図１４に示されるように、プリント押し爪２４及びプリント押し爪取付板６０が図１４（Ａ）の移送完了位置から後方へ移動する途中で、図１４（Ｂ）のように、プリント押し爪取付板６０のピン１７６が支持解除部材１３２のテーパー部１６２の前側面に接触して押圧する。これにより、支持解除部材１３２は図示のように平面視左回りに回動し、この支持解除部材１３２の回動で突起１６６に凹溝１４８が押圧される支持部材１２８も支持解除部材１３２の回動に伴い左回りに回動する。
【００８０】
ここで、支持部材１２８の支持部１４６に乗り上げていたシューター１８の位置決め部材２８が支持部１４６から脱落し、図１２（Ａ）に示されるように、シューター１８はトレー１６側へ傾倒する。これにより、写真プリントＰの束は、シューター１８の上面３０から傾斜方向へ滑り落ち、シューター１８の左斜め下方に配置され傾斜して待機しているトレー１６に受け渡されトレー本体３４に集積して収容される。また、写真プリントＰの束にパノラマサイズの写真プリントが含まれる場合でも、そのパノラマサイズの写真プリントは、前側の側縁がシューター１８のプリントガイド２６に規制され、シューター１８の上面３０からはみ出したり脱落することなく確実にトレー１６に受け渡される。
【００８１】
また、このシューター１８の傾倒後に、図１５に示されるように、後方へ移動するプリント押し爪取付板６０のピン１７６が支持解除部材１３２のテーパー部１６２を通過すると、支持解除部材１３２はねじりコイルばね１３０にばね力により、又、支持部材１２８はねじりコイルばね１２６のばね力によりそれぞれ右回りに回動し、図示のように、支持部材１２８の支持部１４６が位置決め部材２８に当接した位置で支持部材１２８及び支持解除部材１３２が保持される。
【００８２】
プリント押し爪２４が元の待機位置に戻されると、写真処理装置２００の制御部は、ＤＣモータ５０を制御して逆転駆動させ、トレー１６を左回りに周回移動させる。
【００８３】
ここで、写真プリントＰの束が収容された傾斜姿勢のトレー１６は、周回移動に伴い図１２（Ｂ）に示されるように起立姿勢に変位する。これにより、トレー１６に収容された写真プリントＰの束は、裏面がトレー本体３４に支えられるとともに、下縁がトレー１６の底壁部３６に当接して揃えられ、さらに、底壁部３６の傾斜に倣って後側へ寄せられ、側縁がトレー１６の後側壁部３８に当接して揃えられる。
【００８４】
また、シューター１８は、トレー１６の周回移動に同期して回転するシューター起こしカム１１６に下面が押し上げられて元のプリント受け入れ位置付近まで起こされ、このとき、シューター１８下面の位置決め部材２８は、支持部材１２８の支持部１４６に形成された傾斜面１５２に摺接し支持部１４６を前方へ押圧しながら上方へ移動する。そして、位置決め部材２８が支持部１４６の上面に達すると、支持部材１２８及び支持解除部材１３２がねじりコイルばね１２６、１３０のばね力によってそれぞれ右回りに回動し、図１３（Ａ）に示される元の位置に戻され、位置決め部材２８が支持部１４６の上面に乗り上げる。これにより、支持部材１２８の支持部１４６に位置決め部材２８が支持されたシューター１８は、図１２（Ｂ）に示される元のプリント受け入れ位置に保持される。
【００８５】
さらに、次のトレー１６が所定のプリント受け入れ位置に達すると、写真処理装置２００の制御部は、ＤＣモータ５０を制御して駆動停止させ、トレー１６の周回移動を停止させる。以上により、１オーダー分の写真プリントの束が１つのトレー１６に仕分けられて集積される。
【００８６】
また、仕分け装置１０による次の写真プリントの仕分けでも、上述した仕分け動作が行われ、次のトレー１６に同様に１オーダー分の写真プリントの束が仕分けられて集積される。この仕分け動作が繰り返されることにより、写真プリントの束は１つのトレー１６に１オーダー毎に仕分けられる。そして、オペレータは、この仕分け動作中や仕分け装置１０の停止時に、各トレー１６に集積された１オーダー分の写真プリントの束を任意に取り出すことができる。
【００８７】
また、写真プリントの束を収容した先頭のトレー１６がプリント検出機構４２の検出レバー４６付近に至り（図１参照）、すなわち、起立姿勢の７個のトレー１６のうちの左側から３番目に位置し、その位置からさらに左側へ移動すると、そのトレー１６に収容された写真プリントの束が検出レバー４６を左側へ押圧する。これにより、検出レバー４６は左側へ回動してプリント検出状態となり、その検出信号がプリント検出機構４２から写真処理装置２００の制御部へ出力される。ここで、写真プリントの束を収容した先頭のトレー１６は、起立姿勢のトレー１６のうちの左側から２番目に配置され、制御部は、あと２回の仕分けが可能であることを認識する。
【００８８】
そして、仕分け装置１０が次の仕分け動作を行い、写真処理装置２００が最後の写真プリントＰの束をプリント受け部１４の載置面２０に排出すると、写真処理装置２００の制御部は、仕分け装置１０の仕分け動作を一時停止し、写真処理装置２００による写真プリントの処理動作及び排出を一時停止させる。
【００８９】
ここで、写真プリントの束を収容した先頭のトレー１６は、起立姿勢とされたトレー１６のうちの最も左側に配置される。また、このトレー１６に収容された写真プリントの束が左側へ傾いたとしても、写真プリントの束はプリント面の上部がプリント押さえ軸４８に押さえられらため、トレー１６からの脱落が防止される。
【００９０】
また、本実施形態の仕分け装置１０では、上記の構成及び動作により、起立姿勢の７個のトレー１６とプリント受け部１４によって、最大で８オーダー分の写真プリントの仕分けを行うことができる。
【００９１】
ここで、オペレータが仕分け装置１０の各トレー１６から写真プリントの束を取り出し、検出レバー４６の押圧が解除されると、検出レバー４６は右側へ回動して元の位置に戻りプリント非検出状態になる。これにより、プリント検出機構４２から写真処理装置２００の制御部への検出信号の出力が停止され、制御部は、仕分け装置１０による写真プリントの仕分けが可能であることを認識する。そして、オペレータが動作再開の操作を行うと、写真処理装置２００による写真プリントの処理動作と排出、及び仕分け装置１０による写真プリントの仕分け動作が再開される。
【００９２】
次に、上述した仕分け装置１０による作用について説明する。
【００９３】
本実施形態では、写真処理装置２００から排出された例えば１オーダー分の写真プリントＰは、仕分け装置１０の１つのトレー１６に仕分けられて収容されるとともに各縁が揃えられて集積されるため、オペレータは、この仕分けられた写真プリントＰをトレー１６から取り出した後に、縁を揃え直すことなくそのまま袋詰めできるようになる。これにより、写真プリント仕分け後の袋詰め作業等が迅速に行えるようになる。また、本実施形態の仕分け装置１０では、写真プリントＰを複数のトレー１６に仕分けるために設けているプリント押し爪２４とシューター１８とは独立しており、従来のように、複数の移動部材をユニット化して個別に移動させる構成に比べ、各部材や駆動系の構造を簡素化することができている。したがって、簡単な構造により、写真プリントＰの縁を揃えて集積し仕分けすることができる。
【００９４】
また、本実施形態のように、写真プリントＰが写真処理装置２００から１枚ずつ排出される場合、プリント受け部１４の載置面２０に集積された写真プリントＰの束は縁が揃わずに乱れ易くなり、その乱れて集積された写真プリントＰを下流側へ移送すると、移送時に写真プリントＰが崩れたり蛇行しやすくなって移送の安定性が低下してしまうが、本実施形態の仕分け装置１０では、プリント受け部１４の載置面２０が下流側へ向けて上り傾斜されていることにより、写真処理装置２００から１枚ずつ排出された写真プリントＰは、載置面２０の傾斜に倣って上流側へ寄せられ、側縁がプリント押し爪２４に当接して揃えられるようになる。このように、載置面２０に集積された写真プリントＰの側縁が下流側への移送前に予め揃えられることで、移送時に写真プリントＰが崩れたり蛇行することなく良好に移送できるようになる。
【００９５】
また、この載置面２０の水平面（Ｈ１）に対する傾斜角度は５〜２０度であることが必須であり、８〜１３度であることが好ましい。載置面２０の水平面に対する傾斜角度が５度未満であると、写真プリントＰが載置面２０の傾斜に倣って上流側へ確実に寄せられなくなる問題があり、載置面２０の水平面に対する傾斜角度が２０度を超える場合には、装置が上下方向に大型化してしまう。
【００９６】
また、本実施形態では、シューター１８が傾倒したときの上面３０の水平面（Ｈ２）に対する傾斜角度（θ２）と、トレー１６が待機位置で傾斜姿勢とされたときのトレー本体３４の水平面（Ｈ２）に対する傾斜角度（θ３）とが同一角度であることにより、シューター１８から滑落された写真プリントＰがトレー１６にスムーズに収容され、滑落時の衝撃による束の崩れが起こり難くされる。
【００９７】
また、この同一角度にされたシューター１８の上面３０とトレー１６のトレー本体３４との水平面に対する傾斜角度は３０〜４５度であることが必須であり、３５〜４０度であることが好ましい。シューター１８の上面３０及びトレー１６のトレー本体３４の水平面に対する傾斜角度が３０度未満であると、写真プリントＰの滑落がスムーズに行われず、引っ掛かりや滑落速度の低下によって束が崩れやすくなり、又、水平に近い姿勢からトレー１６を起立させる際にも写真プリントＰの束が崩れやすくなる。また、シューター１８の上面３０及びトレー１６のトレー本体３４の水平面に対する傾斜角度が４５度を超える場合には、写真プリントＰが傾いて滑り落ちずに上面３０に載置された状態の姿勢でそのまま落下し、トレー１６に適切に収容されなくなる。
【００９８】
また、本実施形態では、プリント押し爪２４は、写真プリントＰの押し出しに伴う下流側への移動時に、移動手段のリンク機構によってシューター１８に近づくにつれて移動速度が徐々に減速される。これにより、プリント押し爪２４の停止に伴い写真プリントＰに作用する慣性力が小さくされ、写真プリントＰの束を崩れ難くするとともに写真プリントＰの束がプリント押し爪２４の停止位置から遠く離れてしまうことを防止できる。
【００９９】
また、本実施形態では、上記のようにプリント押し爪２４の移動速度を制御する移動速度を機械的なリンク機構としたことにより、例えば電気的な制御を行うために高価なステッピングモータ等を用いる場合に比べ、速度制御手段及び装置を安価に構成することができる。
【０１００】
また、本実施形態では、プリント押し爪２４及びトレー１６の各移動手段を単一のＤＣモータ５０（同一駆動源）により駆動することにより、例えば駆動源を個別に設ける場合に比べ、駆動源及び装置を安価に構成することができる。
【０１０１】
また、本実施形態では、底壁部３６に対してトレー本体３４の上縁部４０が傾斜されたトレー１６に収容された写真プリントＰは、図１２（Ｂ）に示されるように、一方の上角部がトレー本体３４から飛び出るようになるため、トレー１６から写真プリントＰを取り出すときは、その角部付近を摘んで容易に取り出すことができる。
【０１０２】
また、トレー１６を起立させたときに底壁部３６の底面がシューター１８の上面３０と略平行になるようにするために、起立姿勢のトレー１６を装置側面視にて後側へ傾斜させるような本実施形態の構成でも、このトレー１６が仕分け装置１０の下部側に配置されたときには、トレー本体３４の上縁部４０は仕分け装置１０の下面（設置面Ｓ）と略平行にされるとともに下面に近接配置されるため（図２参照）、仕分け装置１０の下部側に形成される無駄なスペースが小さくされて装置を小型に構成することができる。
【０１０３】
以上、本発明を上述した特定の実施形態により詳細に説明したが、本発明はその実施形態に限定されるものではなく、本発明の範囲内にて他の種々の形態が実施可能である。
【０１０４】
例えば、上述した実施形態では、プリント押し爪２４及びトレー１６の各移動手段を単一のＤＣモータ５０により駆動する構成としたが、この各移動手段の駆動源となるモータは、移動手段毎に設けるようにしてもよい。その場合には、ワンウェイクラッチが不要になる。
【図面の簡単な説明】
【０１０５】
【図１】本発明の一実施形態に係る仕分け装置の外観を示す斜視図である。
【図２】本発明の一実施形態に係る仕分け装置を示す左側面図である。
【図３】図１の仕分け装置が写真処理装置にセットされた状態を示す斜視図である。
【図４】図１の仕分け装置が写真処理装置にセットされた状態を示す斜視図である。
【図５】図１の仕分け装置が写真処理装置にセットされた状態を示す左側面図である。
【図６】仕分け装置内に設けられた駆動系の概略構成を示す平面図である。
【図７】仕分け装置内に設けられた駆動系の概略構成を示す右側面図である。
【図８】シューターとトレーの位置関係及び傾斜角度を示す概略正面図である。
【図９】プリント受け部における載置面の傾斜角度を示す左側面図である。
【図１０】シューター支持機構を示す分解斜視図である。
【図１１】仕分け装置による写真プリントの仕分け動作を説明する説明図で、（Ａ）はプリント受け部に写真プリントが集積された状態であり、（Ｂ）はプリント受け部からシューターへ写真プリントが移送された状態である。
【図１２】仕分け装置による写真プリントの仕分け動作を説明する説明図で、（Ａ）はシューターからトレーへ写真プリントが受け渡された状態であり、（Ｂ）は写真プリントを収容したトレーが起立姿勢とされた状態である。
【図１３】写真プリントの仕分け動作におけるシューター支持機構の動作を説明する説明図で、（Ａ）はプリント押し爪が待機位置に配置された状態であり、（Ｂ）はプリント押し爪が前進してピンにより支持解除部材を押圧している状態である。
【図１４】写真プリントの仕分け動作におけるシューター支持機構の動作を説明する説明図で、（Ａ）はプリント押し爪が写真プリントの移送完了位置に配置された状態であり、（Ｂ）はプリント押し爪が後退してピンにより支持解除部材を押圧している状態である。
【図１５】写真プリントの仕分け動作におけるシューター支持機構の動作を説明する説明図で、シューターの位置決め部材が支持部材から脱落した状態である。
【符号の説明】
【０１０６】
１０   仕分け装置
１４   プリント受け部
１６   トレー（プリント収容部材）
１８   シューター（傾倒部材）
２０   載置面
２４   プリント押し爪（押出し部材）
３０   上面
３４   トレー本体（プリント収容部材本体）
３６   底壁部
３８   後側壁部（側壁部）
４０   上縁部
５０   ＤＣモータ（同一駆動源）
６０   プリント押し爪取付板
６４   右フレーム
７０   支持板
７６   ガイド軸
８０   リンク
８２   回転部材
１００ チェーン
１０２ スプロケット
１０４ スプロケット軸
１２０ シューター支持機構（傾倒手段）
２００ 写真処理装置
Ｈ１   水平面
Ｈ２   水平面
Ｐ     写真プリント
θ１   傾斜角度
θ２   傾斜角度
θ３   傾斜角度
【図１】
2006133264.tif 000003
【図２】
2006133264.tif 000004
【図３】
2006133264.tif 000005
【図４】
2006133264.tif 000006
【図５】
2006133264.tif 000007
【図６】
2006133264.tif 000008
【図７】
2006133264.tif 000009
【図８】
2006133264.tif 000010
【図９】
2006133264.tif 000011
【図１０】
2006133264.tif 000012
【図１１】
2006133264.tif 000013
【図１２】
2006133264.tif 000014
【図１３】
2006133264.tif 000015
【図１４】
2006133264.tif 000016
【図１５】
2006133264.tif 000017